(57)【要約】【課題】ジャケットレスでありながらインピーダンスの変化を抑制することが可能な同軸ケーブルを提供する。【解決手段】内部導体１０１と、内部導体１０１の周囲に設けられた絶縁体１０２と、絶縁体１０２の周囲に設けられた外部導体１０３と、外部導体１０３の周囲に巻き付けられた導電性接着層付金属箔テープ１０４と、を備えており、導電性接着層付金属箔テープ１０４は、金属箔１０５と金属箔１０５の片面に塗布された導電性接着層１０６とを有しており、導電性接着層１０６が外部導体１０３と接触するように外部導体１０３の周囲に重ね巻きされている同軸ケーブル１００である。【選択図】図１
2016076398.tif 000002
【特許請求の範囲】
【請求項１】
内部導体と、
前記内部導体の周囲に設けられた絶縁体と、
前記絶縁体の周囲に設けられた外部導体と、
前記外部導体の周囲に巻き付けられた導電性接着層付金属箔テープと、
を備えており、
前記導電性接着層付金属箔テープは、金属箔と前記金属箔の片面に塗布された導電性接着層とを有しており、前記導電性接着層が前記外部導体と接触するように前記外部導体の周囲に重ね巻きされていることを特徴とする同軸ケーブル。
【請求項２】
前記金属箔は、アルミニウム箔又は錫鍍金銅箔からなる請求項１に記載の同軸ケーブル。
【請求項３】
前記導電性接着層は、熱融着型導電性接着剤で形成されている請求項１又は２に記載の同軸ケーブル。
【発明の詳細な説明】
【技術分野】
【０００１】
本発明は、周波数が６ＧＨｚ以下の高周波信号を送受信するための無線ＬＡＮアンテナとして好適に使用することができる同軸ケーブルに関する。
【背景技術】
【０００２】
近年の著しいブロードバンド化に伴って無線ＬＡＮの普及が急速に進んでおり、スマートフォンやタブレット等は勿論であるが、テレビやエアコン等にも周波数が６ＧＨｚ以下の高周波信号を送受信するための無線ＬＡＮアンテナが搭載されるようになってきている。無線ＬＡＮアンテナを構成する同軸ケーブルは、内部導体と、内部導体の周囲に設けられた絶縁体と、絶縁体の周囲に設けられた外部導体と、外部導体の周囲に設けられたジャケットと、を備えている。図２に示すように、同軸ケーブル２００の配線時は、耐ノイズ対策としてケーブル長手方向の規定箇所で外部導体２０１を接地させる必要があるため、規定箇所に位置するジャケット２０２を部分的に除去して外部導体２０１を露出させた後、その外部導体２０１に金属クランプ２０３を取り付けると共に金属クランプ２０３と回路基板のグランド配線２０４とを電気接続している（例えば、特許文献１を参照）。
【先行技術文献】
【特許文献】
【０００３】
【特許文献１】特開２０１３−０９３１３７号公報
【発明の概要】
【発明が解決しようとする課題】
【０００４】
しかしながら、外部導体２０１に全く損傷を与えずにジャケット２０２を除去することは、たとえ作業者であっても非常に面倒である。また、ジャケット２０２の除去前に同軸ケーブル２００の端部にコネクタ端末２０５を取り付けると、ジャケット２０２の除去時にコネクタ端末２０５に損傷を与える虞があるため、実際はジャケット２０２の除去後にコネクタ端末２０５の取り付けを行うが、この場合、コネクタ端末２０５の取付時にジャケット２０２が動き、外部導体２０１が露出された位置と規定箇所との間にズレが生じ、外部導体２０１の接地が困難になる虞がある。これらの課題は、外部導体の周囲にジャケットを設けないことにより、即ち、ジャケットレスにすることにより解決することができるものの、外部導体の周囲にジャケットが設けられていない場合、同軸ケーブルの屈曲時等に内部導体と外部導体との距離が変動し、インピーダンスが変化してしまう。
【０００５】
そこで、本発明の目的は、ジャケットレスでありながらインピーダンスの変化を抑制することが可能な同軸ケーブルを提供することにある。
【課題を解決するための手段】
【０００６】
この目的を達成するために創案された本発明は、内部導体と、前記内部導体の周囲に設けられた絶縁体と、前記絶縁体の周囲に設けられた外部導体と、前記外部導体の周囲に巻き付けられた導電性接着層付金属箔テープと、を備えており、前記導電性接着層付金属箔テープは、金属箔と前記金属箔の片面に塗布された導電性接着層とを有しており、前記導電性接着層が前記外部導体と接触するように前記外部導体の周囲に重ね巻きされている同軸ケーブルである。
【０００７】
前記金属箔は、アルミニウム箔又は錫鍍金銅箔からなることが好ましい。
【０００８】
前記導電性接着層は、熱融着型導電性接着剤で形成されていることが好ましい。
【発明の効果】
【０００９】
本発明によれば、ジャケットレスでありながらインピーダンスの変化を抑制することが可能な同軸ケーブルを提供することができる。
【図面の簡単な説明】
【００１０】
【図１】本発明に係る同軸ケーブルを示す横断面図である。
【図２】従来技術に係る同軸ケーブルの端末加工を説明する図である。
【発明を実施するための形態】
【００１１】
以下、本発明の好適な実施の形態を添付図面に順って説明する。
【００１２】
図１に示すように、本発明の好適な実施の形態に係る同軸ケーブル１００は、内部導体１０１と、内部導体１０１の周囲に設けられた絶縁体１０２と、絶縁体１０２の周囲に設けられた外部導体１０３と、外部導体１０３の周囲に巻き付けられた導電性接着層付金属箔テープ１０４と、を備えている。
【００１３】
内部導体１０１は、導電性に優れる銅等の金属で形成されると共に表面に錫鍍金等が施された単線又は撚線からなり、絶縁体１０２絶縁性に優れるフッ素樹脂等の樹脂で形成されており、外部導体１０３は、導電性に優れる銅等の金属で形成されると共に表面に錫鍍金等が施された複数本の素線からなる。
【００１４】
なお、外部導体１０３は、絶縁体１０２の周囲に複数本の素線が螺旋状に巻き付けられてなる横巻方式の外部導体であっても、絶縁体１０２の周囲に複数本の素線が格子状に編み込まれてなる編組方式の外部導体であっても構わない。
【００１５】
導電性接着層付金属箔テープ１０４は、金属箔１０５と金属箔１０５の片面に塗布された導電性接着層１０６とを有しており、導電性接着層１０６が外部導体１０３と接触するように外部導体１０３の周囲に重ね巻きされている。
【００１６】
金属箔１０５は、アルミニウム箔又は錫鍍金銅箔からなることが好ましい。これにより、同軸ケーブル１００の取扱時に人の皮脂が金属箔１０５の表面に付着したり、同軸ケーブル１００が高温多湿環境に置かれたりしても、金属箔１０５の表面の酸化膜で金属箔１０５の内部における腐食の進行が妨げられるため、長期に亘って同軸ケーブル１００の耐ノイズ特性を維持することが可能になる。特に、金属箔１０５として錫鍍金銅箔を採用することにより、錫鍍金による半田濡れ性の向上が見込まれる。
【００１７】
導電性接着層１０６は、熱融着型導電性接着剤で形成されていることが好ましい。これにより、導電性接着層付金属箔テープ１０４の巻き付け後に同軸ケーブル１００を加熱することで導電性接着層１０６を外部導体１０３の隅々に行き渡らせて外部導体１０３を強固に固定することができ、外部導体１０３を構成する素線の解れや緩みによるインピーダンスの変化を抑制することが可能になる。
【００１８】
これまで説明してきたように、本発明の好適な実施の形態に係る同軸ケーブル１００では、導電性接着層付金属箔テープ１０４がジャケットとしての機能を果たすため、同軸ケーブル１００の屈曲時等であっても内部導体１０１と外部導体１０３との距離が変動し難く、インピーダンスの変化を抑制することができ、常に良好な耐ノイズ特性を維持することが可能になる。また、導電性接着層１０６を介して外部導体１０３と金属箔１０５とがケーブル全長に亘って導通されているため、同軸ケーブル１００の何れの位置でも外部導体１０３と回路基板のグランド配線とを容易に電気接続することが可能になる。更に、ジャケットレスであるため、ジャケットの除去に伴う外部導体１０３の損傷が生じることが無い。
【００１９】
以上の通り、本発明によれば、ジャケットレスでありながらインピーダンスの変化を抑制することが可能な同軸ケーブルを提供することができる。
【符号の説明】
【００２０】
１００  同軸ケーブル
１０１  内部導体
１０２  絶縁体
１０３  外部導体
１０４  導電性接着層付金属箔テープ
１０５  金属箔
１０６  導電性接着層
【図１】
2016076398.tif 000003
【図２】
2016076398.tif 000004